(57)【特許請求の範囲】
【請求項１】
回転可能とされ、周面にシート材が配置される回転部材と、
前記回転部材の周面に設けられる保持部材と、
前記保持部材に設けられて前記シート材を前記回転部材の周面に押し付けると共に、前記回転部材が回転された際の遠心力による前記回転部材とは反対側への変形量が大きい位置程前記回転部材側へ大きく突出された押付部と、
を備えたシート材固定装置。
【請求項２】
前記保持部材及び押付部を複数備え、かつ、一部の前記押付部は前記シート材の一端を前記回転部材の周面に押し付けると共に、他の前記押付部は前記シート材の他端を前記回転部材の周面に押し付ける、ことを特徴とする請求項１記載のシート材固定装置。
【発明の詳細な説明】
【０００１】
【発明の属する技術分野】
本発明は、シート材を回転部材の周面に固定するシート材固定装置に関する。
【０００２】
【従来の技術】
印刷版露光装置としては、シート状の印刷版（例えば所謂フォトポリプレートやサーマルプレート）における画像形成層（感光層や感熱層等）に、直接レーザビーム等で画像を記録（露光）するものが開発されてきている。
【０００３】
この印刷版露光装置は、例えば回転ドラムを備えている。回転ドラムは円筒状とされて両端が閉塞されており、回転ドラムの周面には印刷版が搬送される。回転ドラム内は減圧ブロアに連通されると共に、回転ドラムの周面には多数の吸引穴及び吸引溝が形成されており、回転ドラムの周面に印刷版が搬送されると、回転ドラム内が減圧ブロアによって減圧されることで、多数の吸引穴及び吸引溝を介して印刷版が真空吸着されて回転ドラムの周面に固定される。
【０００４】
回転ドラムの近傍には記録ヘッド部が設置されており、回転ドラムの周面に固定された印刷版に、回転ドラムが高速回転されつつ、記録ヘッド部から光ビームが照射されることで、印刷版が露光処理される構成である。
【０００５】
しかしながら、この印刷版露光装置では、回転ドラムの周面に多数の吸引穴及び吸引溝を形成する加工が高価であるのみならず、減圧ブロアも必要であるため、高コストとなり、かつ、減圧ブロアによって設置面積が大きくなると共に騒音が発生するという問題がある。
【０００６】
さらにまた、現在開発されつつある印刷版露光装置では、回転ドラムの周面に搬送された印刷版の前端及び後端をそれぞれ前端チャック及び後端チャックによって押し付けることで、印刷版を回転ドラムの周面に固定する。
【０００７】
しかしながら、この印刷版露光装置では、回転ドラムの周面に印刷版が吸着されていないため、回転ドラムが高速回転される際に前端チャック及び後端チャックの印刷版押付部が遠心力により変形すると、印刷版の前端及び後端を回転ドラムの周面に均一に押し付けることが困難であり、これにより、印刷版の全体を回転ドラムの周面に密着させることが困難であるという問題がある。
【０００８】
【発明が解決しようとする課題】
本発明は上記事実を考慮し、回転部材が回転された際に低コスト、小設置面積かつ無騒音な構成でシート材を回転部材の周面に均一に押し付けることができるシート材固定装置を得ることが目的である。
【０００９】
【課題を解決するための手段】
請求項１に記載のシート材固定装置は、回転可能とされ、周面にシート材が配置される回転部材と、前記回転部材の周面に設けられる保持部材と、前記保持部材に設けられて前記シート材を前記回転部材の周面に押し付けると共に、前記回転部材が回転された際の遠心力による前記回転部材とは反対側への変形量が大きい位置程前記回転部材側へ大きく突出された押付部と、を備えている。
【００１０】
請求項１に記載のシート材固定装置では、回転部材の周面に設けられる保持部材の押付部がシート材を回転部材の周面に押し付けることで、シート材が回転部材の周面に固定される。このため、従来の多数の吸引穴及び吸引溝のみならず減圧ブロアが不要になり、低コスト、小設置面積かつ無騒音な構成にすることができる。
【００１１】
さらに、回転部材が回転された際の押付部の遠心力による回転部材とは反対側（反回転部材側）への変形量が大きい位置程、押付部が回転部材側へ大きく突出されている。このため、回転部材が回転された際に押付部が遠心力によって回転部材とは反対側へ変形しても、押付部がシート材を隙間なく押圧でき、これにより、押付部がシート材を回転部材の周面に均一に押し付けることができる。
【００１２】
請求項２に記載のシート材固定装置は、請求項１に記載のシート材固定装置において、前記保持部材及び押付部を複数備え、かつ、一部の前記押付部は前記シート材の一端を前記回転部材の周面に押し付けると共に、他の前記押付部は前記シート材の他端を前記回転部材の周面に押し付ける、ことを特徴としている。
【００１３】
請求項２に記載のシート材固定装置では、一部の押付部がシート材の一端を回転部材の周面に押し付けると共に、他の押付部がシート材の他端を回転部材の周面に押し付ける。しかも、上述の如く、各押付部はシート材を回転部材の周面に均一に押し付けることができる。このため、回転部材が回転された際に、シート材が遠心力により押付部による押付力に抗して回転部材の周面から浮き上がることを抑制でき、シート材の全体を回転ドラムの周面に密着させることを可能にすることができる。
【００１４】
【発明の実施の形態】
図７には、本発明のシート材固定装置が適用されて構成された実施の形態に係る印刷版自動露光装置１０が側面図にて示されている。
【００１５】
本実施の形態に係る印刷版自動露光装置１０は、シート材としてのフォトポリプレートやサーマルプレート等の印刷版１２における支持体上の画像形成層（感光層や感熱層等）に画像を露光（記録）するものである。印刷版自動露光装置１０は、搬送ガイドユニット１４とパンチ部１６と露光部１８とに分かれており、搬送ガイドユニット１４の前方にパンチ部１６及び露光部１８が配置されると共に、パンチ部１６の下方に露光部１８が配置されている。
【００１６】
搬送ガイドユニット１４は、略四角形平板状の給版ガイド２０と、略四角形平板状の排版ガイド２２と、を有しており、給版ガイド２０と排版ガイド２２とは互いの相対位置関係が横Ｖ字型とされている。搬送ガイドユニット１４は、図７の中央付近を中心として所定角度回動する構造となっており、この回動によって、給版ガイド２０や排版ガイド２２を選択的にパンチ部１６や露光部１８に対応させることができる。また、給版ガイド２０上には、印刷版１２が供給される。
【００１７】
ここで、搬送ガイドユニット１４が回動されて給版ガイド２０がパンチ部１６に対応（対向）されることで、給版ガイド２０上の印刷版１２の前端部がパンチ部１６内に搬送されて、パンチ部１６によって印刷版１２の前端部に例えば円孔と長孔等の所定数のパンチ孔（図示省略）が穿孔される。パンチ部１６での処理が終了すると、印刷版１２が給版ガイド２０上へ戻される。
【００１８】
露光部１８は、回転部材としての回転ドラム２４を備えており、回転ドラム２４は円柱状とされて図７の矢印Ａ及び矢印Ｂの方向へ回転可能とされている。回転ドラム２４の周面には所定数（本実施の形態では８個）の固定孔４０が形成されており、固定孔４０は、回転ドラム２４周面の周方向全体に亘って形成されると共に、回転ドラム２４外側部位が回転ドラム２４内側部位に比し左右方向において小さくされている（図５及び図６参照）。ここで、上述の如くパンチ部１６から給版ガイド２０上へ印刷版１２が戻されると、搬送ガイドユニット１４が回動されて給版ガイド２０が露光部１８に対応される（回転ドラム２４の接線方向に対向される）ことで、回転ドラム２４の周面上に印刷版１２の前端が搬送（配置）されて、印刷版１２が位置決めされる。
【００１９】
回転ドラム２４の周面には、印刷版１２の前端が搬送される位置において、保持部材としての前端チャック２６が所定数（本実施の形態では１１個）左右方向に沿って配置されている（図５参照）。前端チャック２６は、プラスチック製（本実施の形態ではナイロン６６樹脂等のエンジニアリングプラスチック製）とされると共に、断面く字形状の板状とされている。前端チャック２６の前側には、回転ドラム２４周面から離間される方向へ弾性力が付与される一方、前端チャック２６の後端には、押付部としての前端押付部４２が形成されている。
【００２０】
図１に示す如く、前端チャック２６の左右方向両側には支持部材４４が配置されており、各支持部材４４は回転ドラム２４の周面に固定されている。前端チャック２６の左右方向両端には支持軸４６が一体に設けられており、各支持軸４６が各支持部材４４に支持されることで、前端チャック２６が回転ドラム２４に各支持部材４４を介して回転自在に支持されている。このため、後述の如く回転ドラム２４が高速回転された際には、前端チャック２６（前端押付部４２を含む）が、遠心力によって左右方向中央程大きく反回転ドラム２４側へ変形する。
【００２１】
図２に示す如く、前端押付部４２の下端（回転ドラム２４側端）は、左右方向中央が左右方向両端に比し下方（回転ドラム２４側）へ突出する弓状（クラウン形状）とされており、回転ドラム２４が高速回転された際の前端押付部４２の遠心力による反回転ドラム２４側への変形量が大きい位置程、前端押付部４２の下端が回転ドラム２４側へ大きく突出されている。これにより、回転ドラム２４が高速回転された際には、前端押付部４２の変形により前端押付部４２の下端が平面状となる構成である。
【００２２】
図１に示す如く、各支持軸４６は前端チャック２６の後側に配置されており、各支持軸４６の前側の前端チャック２６の質量が各支持軸４６の後側の前端チャック２６の質量より大きくされている。このため、回転ドラム２４が高速回転された際には、各支持軸４６の前側の前端チャック２６が受ける遠心力が各支持軸４６の後側の前端チャック２６が受ける遠心力より大きく、これにより、前端チャック２６に前端押付部４２が回転ドラム２４の周面へ向かう方向への回転力が付与される。
【００２３】
図７に示す如く、各前端チャック２６の上方には装着カム２８が設けられており、各装着カム２８が各前端チャック２６の前側を押圧することで、各前端チャック２６後端の前端押付部４２が上記弾性力に抗して回転ドラム２４周面から離間している。これにより、上述の如く給版ガイド２０から回転ドラム２４周面上に搬送される印刷版１２の前端が各前端チャック２６後端の前端押付部４２と回転ドラム２４周面との間に挿入され、この状態で上記印刷版１２の位置決めが行われる。また、上記印刷版１２の位置決めが終了した後には、各装着カム２８が回動して各前端チャック２６前側の押圧を解除することで、所定数の前端チャック２６後端の前端押付部４２が上記弾性力により印刷版１２前端の略全体を回転ドラム２４の周面に押し付けて、回転ドラム２４の周面に印刷版１２の前端が固定される。さらに、回転ドラム２４の周面に印刷版１２の前端が固定されると、回転ドラム２４が図７の矢印Ａの方向へ回転されて、印刷版１２が回転ドラム２４の周面に巻き付けられる。
【００２４】
回転ドラム２４の周面近傍には、各装着カム２８よりも図７の矢印Ａの方向側において、円柱状のスクイズローラ３０が配設されている。スクイズローラ３０は、回転ドラム２４側へ移動されることで、回転ドラム２４に巻き付けられる印刷版１２を回転ドラム２４へ向けて押圧しつつ回転され、印刷版１２を回転ドラム２４の周面に密着させる。
【００２５】
回転ドラム２４の周面近傍には、各装着カム２８とスクイズローラ３０との間において、後端チャック着脱ユニット３２が配設されている。後端チャック着脱ユニット３２は昇降フレーム３４を有しており、昇降フレーム３４は回転ドラム２４へ向けて移動可能とされている。昇降フレーム３４には、保持部材としての後端チャック３６が所定数（本実施の形態では４個）左右方向に沿って装着されている（図５参照）。後端チャック３６は長方形板状とされており、後端チャック３６の後側底面には、コイルスプリング（図示省略）の上端が固定されている。
【００２６】
図３に示す如く、後端チャック３６の前端には、右側部位下端及び左側部位下端においてそれぞれ押付部としての後端押付板４８が設けられている。後端押付板４８は、表面がゴムコーティングされた金属製（本実施の形態ではアルミニウム製）とされており、後端押付板４８の摩擦係数が大きくされている。
【００２７】
後端チャック３６には、右側部位の略中央及び左側部位の略中央においてそれぞれ着脱レバー５０が回転可能に設けられている。後端チャック３６は一対の着脱レバー５０を中心に揺動可能とされると共に、着脱レバー５０の上端にはナット５２が固定されて後端チャック３６の上面から露出している。また、着脱レバー５０の下側は後端チャック３６の下面から突出すると共に、着脱レバー５０の下端は、前後方向が長尺かつ左右方向が短尺とされている（図６（Ａ）及び図７参照）。
【００２８】
ここで、回転ドラム２４に巻き付けた印刷版１２の後端が後端チャック着脱ユニット３２に対向すると、昇降フレーム３４が下降されて各後端チャック３６が回転ドラム２４側へ移動されることで、図６（Ａ）に示す如く各着脱レバー５０が回転ドラム２４の各固定孔４０に挿入された後、図６（Ｂ）に示す如く各着脱レバー５０（各ナット５２）が９０度回転されて各着脱レバー５０下端の左右方向が長尺とされる。このため、各着脱レバー５０の各固定孔４０からの離脱が不能になり、各後端チャック３６が回転ドラム２４の周面に装着される。この際、上記各コイルスプリングの下端が回転ドラム２４の周面に押圧されることで、所定数の後端チャック３６前端の各後端押付板４８がコイルスプリングの付勢力により印刷版１２後端の略全体を回転ドラム２４の周面に押し付けて、回転ドラム２４の周面に印刷版１２の後端が固定される。また、上述の如く各着脱レバー５０が９０度回転された際には、昇降フレーム３４から後端チャック３６が離脱され、その後、昇降フレーム３４が原点位置へ上昇される。
【００２９】
図３に示す如く、各着脱レバー５０は後端チャック３６の前側に配置されており、各着脱レバー５０の後側の後端チャック３６の質量が各着脱レバー５０の前側の後端チャック３６の質量より大きくされている。このため、回転ドラム２４が高速回転された際には、各着脱レバー５０の後側の後端チャック３６が受ける遠心力が各着脱レバー５０の前側の後端チャック３６が受ける遠心力より大きく、これにより、後端チャック３６に各後端押付板４８が回転ドラム２４の周面へ向かう方向への回転力が付与される。
【００３０】
この際、各後端押付板４８の左右方向両端近傍が後端チャック３６に押圧され、これにより、各後端押付板４８が、遠心力によって左右方向中央程大きく反回転ドラム２４側へ変形する。
【００３１】
図４に示す如く、後端押付板４８の下端（回転ドラム２４側端）は、左右方向中央が左右方向両端に比し下方（回転ドラム２４側）へ突出する弓状（クラウン形状）とされており、回転ドラム２４が高速回転された際の後端押付板４８の遠心力による反回転ドラム２４側への変形量が大きい位置程、後端押付板４８の下端が回転ドラム２４側へ大きく突出されている。これにより、回転ドラム２４が高速回転された際には、後端押付板４８の変形により後端押付板４８の下端が平面状となる構成である。
【００３２】
このように、各前端チャック２６及び各後端チャック３６によって印刷版１２の前端及び後端が回転ドラム２４の周面に固定されると、スクイズローラ３０が回転ドラム２４から離間された後に、回転ドラム２４が所定の回転速度で高速回転される。
【００３３】
図７に示す如く、回転ドラム２４周面の後側近傍には、記録ヘッド部３８が配設されており、記録ヘッド部３８は、高速回転される回転ドラム２４に向け、この回転ドラム２４の回転に同期させて、読み込まれた画像データに基づいて変調した光ビームを照射し、これにより、印刷版１２が画像データに基づいて露光される。この露光処理は、回転ドラム２４を高速で回転させながら（主走査）、記録ヘッド部３８を回転ドラム２４の軸線方向へ移動させる（副走査）、所謂走査露光である。
【００３４】
この印刷版１２への走査露光が終了すると、各後端チャック３６が昇降フレーム３４に対向する位置で回転ドラム２４が一時停止されて、昇降フレーム３４が回転ドラム２４側へ下降された後、各着脱レバー５０（各ナット５２）が９０度逆回転されることで各着脱レバー５０下端の前後方向が長尺とされて各着脱レバー５０の各固定孔４０からの離脱が可能となると共に、昇降フレーム３４に各後端チャック３６が装着される。その後、昇降フレーム３４が原点位置へ上昇されることで、各後端チャック３６前端の各後端押付板４８による印刷版１２後端の固定が解除される。さらに、搬送ガイドユニット１４が回動されて排版ガイド２２が露光部１８に対応された（回転ドラム２４の接線方向に対向された）後、回転ドラム２４が図７の矢印Ｂの方向へ回転されることで、印刷版１２が後端側から排版ガイド２２上へ排出される。この際、各装着カム２８が回動されて各前端チャック２６の前側を押圧することで、各前端チャック２６後端の前端押付部４２による印刷版１２前端の固定が解除される。また、印刷版１２が排版ガイド２２に送られると、搬送ガイドユニット１４が回動されて、排版ガイド２２から印刷版１２が排出され、これにより、印刷版１２が印刷版自動露光装置１０に隣接する次工程の現像装置または印刷装置（図示省略）へ搬送される構成である。
【００３５】
次に、本実施の形態の作用を説明する。
【００３６】
以上の構成の印刷版自動露光装置１０では、印刷版１２を給版ガイド２０に載置すると、まず、搬送ガイドユニット１４を回動させて給版ガイド２０をパンチ部１６に対応させることで、印刷版１２の前端部をパンチ部１６内に搬送する。パンチ部１６内に搬送された印刷版１２は、前端部にパンチ部１６により所定数のパンチ孔が穿孔された後、給版ガイド２０上に戻される。
【００３７】
さらに、搬送ガイドユニット１４を回動させて給版ガイド２０を露光部１８に対応させることで、印刷版１２を露光部１８へ搬送して、位置決めする。位置決めされた印刷版１２は、前端と後端とがそれぞれ前端チャック２６と後端チャック３６とによって回転ドラム２４の周面に固定されると共にスクイズローラ３０によって回転ドラム２４の周面に密着されつつ、回転ドラム２４の周面に巻き付けられる。回転ドラム２４の周面に印刷版１２を巻き付けると、回転ドラム２４を高速回転させた状態で、記録ヘッド部３８から光ビームを印刷版１２へ照射することで、露光処理を行う。
【００３８】
露光処理が終了すると、搬送ガイドユニット１４を回動させて排版ガイド２２を回転ドラム２４へ対応させると共に、前端チャック２６及び後端チャック３６による印刷版１２の回転ドラム２４周面への固定を解除しつつ、印刷版１２を回転ドラム２４から排版ガイド２２へ排出する。その後、搬送ガイドユニット１４を回動させて排版ガイド２２から印刷版１２を排出する。
【００３９】
ここで、露光部１８では、回転ドラム２４の周面に設けられる前端チャック２６及び後端チャック３６がそれぞれ前端押付部４２及び後端押付板４８にて印刷版１２を回転ドラム２４の周面に押し付けることで、印刷版１２が回転ドラム２４の周面に固定される。このため、従来の多数の吸引穴及び吸引溝のみならず減圧ブロアが不要になり、低コスト、小設置面積かつ無騒音な構成にすることができる。
【００４０】
さらに、回転ドラム２４が高速回転された際には、前端押付部４２及び後端押付板４８が遠心力によって左右方向中央程大きく反回転ドラム２４側へ変形する。ここで、前端押付部４２の下端及び後端押付板４８の下端が、左右方向中央が左右方向両端に比し下方へ突出する弓状とされることで、回転ドラム２４が高速回転された際の前端押付部４２及び後端押付板４８の遠心力による反回転ドラム２４側への変形量が大きい位置程、前端押付部４２及び後端押付板４８が回転ドラム２４側へ大きく突出されている。このため、回転ドラム２４が高速回転された際に前端押付部４２及び後端押付板４８が遠心力によって変形しても、前端押付部４２の下端及び後端押付板４８の下端が平面状となって印刷版１２を隙間なく押圧でき、これにより、前端押付部４２及び後端押付板４８が印刷版１２を回転ドラム２４の周面に均一に押し付ける（密着させる）ことができる。
【００４１】
また、回転ドラム２４が高速回転された際には、各支持軸４６の前側の前端チャック２６が受ける遠心力が各支持軸４６の後側の前端チャック２６が受ける遠心力より大きく、前端チャック２６に前端押付部４２が回転ドラム２４の周面へ向かう方向への回転力が付与される。さらに、回転ドラム２４が高速回転された際には、各着脱レバー５０の後側の後端チャック３６が受ける遠心力が各着脱レバー５０の前側の後端チャック３６が受ける遠心力より大きく、後端チャック３６に各後端押付板４８が回転ドラム２４の周面へ向かう方向への回転力が付与される。これにより、前端押付部４２及び後端押付板４８が印刷版１２を回転ドラム２４の周面に高圧力で押し付けることができる。
【００４２】
さらにまた、各前端押付部４２により印刷版１２前端の略全体が回転ドラム２４の周面に押し付けられると共に、各後端押付板４８により印刷版１２後端の略全体が回転ドラム２４の周面に押し付けられる。しかも、上述の如く、各前端押付部４２及び各後端押付板４８は印刷版１２を回転ドラム２４の周面に高圧力で均一に押し付ける。このため、回転ドラム２４が高速回転された際に、印刷版１２が遠心力により各前端押付部４２及び各後端押付板４８による押付力に抗して回転ドラム２４の周面から浮き上がることを防止でき、印刷版１２の全体を回転ドラムの周面に密着させることができる。したがって、記録ヘッド部３８と印刷版１２との距離が変わって記録画像にピントボケが生じることを防止できる。
【００４３】
なお、本実施の形態では、回転ドラム２４が高速回転された際に前端押付部４２及び後端押付板４８が遠心力によって左右方向中央程大きく反回転ドラム２４側へ変形する構成であるが、図８に示す如く、回転ドラム２４（回転部材）が回転された際に押付部６０が左右方向中央において回転ドラム２４側へ押圧されて遠心力によって左右方向両端程大きく反回転ドラム２４側へ変形する構成の場合には、押付部６０の下端（回転ドラム２４側端）を左右方向両端が左右方向中央に比し下方（回転ドラム２４側）へ突出する弓状とした構成とすればよい。これにより、回転ドラム２４が回転された際の押付部６０の遠心力による反回転ドラム２４側への変形量が大きい位置程、押付部６０が回転ドラム２４側へ大きく突出されており、回転ドラム２４が回転された際に押付部６０が遠心力によって変形しても、押付部６０の下端が平面状となって印刷版１２を隙間なく押圧でき、押付部６０が印刷版１２を回転ドラム２４の周面に均一に押し付けることができる。
【００４４】
【発明の効果】
請求項１に記載のシート材固定装置では、保持部材の押付部がシート材を回転部材の周面に押し付けることでシート材が回転部材の周面に固定されるため、従来の吸引穴、吸引溝及び減圧ブロアが不要になり、低コスト、小設置面積かつ無騒音な構成にすることができる。
【００４５】
さらに、回転部材が回転された際の押付部の遠心力による回転部材とは反対側への変形量が大きい位置程押付部が回転部材側へ大きく突出されているため、押付部が遠心力によって回転部材とは反対側へ変形しても、押付部がシート材を隙間なく押圧でき、押付部がシート材を回転部材の周面に均一に押し付けることができる。
【００４６】
請求項２に記載のシート材固定装置では、一部の押付部がシート材の一端を回転部材の周面に押し付けると共に他の押付部がシート材の他端を回転部材の周面に押し付けるため、回転部材が回転された際にシート材の全体を回転ドラムの周面に密着させることを可能にすることができる。
【図面の簡単な説明】
【図１】本発明の実施の形態に係る印刷版自動露光装置の前端チャックを示す斜視図である。
【図２】本発明の実施の形態に係る印刷版自動露光装置の前端チャックを示す正面図である。
【図３】本発明の実施の形態に係る印刷版自動露光装置の後端チャックを示す斜視図である。
【図４】本発明の実施の形態に係る印刷版自動露光装置の後端押付板を示す正面図である。
【図５】本発明の実施の形態に係る印刷版自動露光装置の回転ドラム、前端チャック及び後端チャックを示す斜視図である。
【図６】本発明の実施の形態に係る印刷版自動露光装置の回転ドラムへの後端チャックの装着方法を示す断面図であり、（Ａ）は、回転ドラムの固定孔に後端チャックの着脱レバーを挿入する状況を示す図であり、（Ｂ）は、固定孔からの着脱レバーの離脱を不能にした状況を示す図である。
【図７】本発明の実施の形態に係る印刷版自動露光装置を示す概略的な側面図である。
【図８】本発明の実施の形態に係る印刷版自動露光装置の押付部の別例を示す正面図である。
【符号の説明】
１０    印刷版自動露光装置
１２    印刷版（シート材）
２４    回転ドラム（載置部材）
２６    前端チャック（保持部材）
３６    後端チャック（保持部材）
４２    前端押付部（押付部）
４８    後端押付板（押付部）
６０    押付部
【図１】
0004025105.tif 000002
【図２】
0004025105.tif 000003
【図３】
0004025105.tif 000004
【図４】
0004025105.tif 000005
【図５】
0004025105.tif 000006
【図６】
0004025105.tif 000007
【図７】
0004025105.tif 000008
【図８】
0004025105.tif 000009